(57)【要約】【課題】本発明の課題は、治療時に高エネルギーで、かつ発熱が少ない複数の面発光体を具備し、伸縮性に優れ、様々な曲面を有する患部に対し、しっかりと密着させることができ、高い光治療効果を発揮することができる光治療用装置を提供することである。【解決手段】本発明の光治療用装置は、伸縮性基材上に、複数の電界発光素子、例えば、有機エレクトロルミネッセンス素子と、粘着層とを有し、伸縮させながら該粘着層により光治療対象の患部に密着し、光治療を行うことを特徴とする光治療用装置である。【選択図】図７
2017006348.tif 000002
【特許請求の範囲】
【請求項１】
伸縮性基材上に、複数の電界発光素子と、粘着層とを有することを特徴とする光治療用装置。
【請求項２】
前記伸縮性基材の一方の面側に、前記複数の電界発光素子と、当該電界発光素子上に前記粘着層を有することを特徴とする請求項１に記載の光治療用装置。
【請求項３】
前記伸縮性基材の一方の面側に、前記複数の電界発光素子を有し、前記基板の前記電界発光素子を有する面とは反対側の面に、前記粘着層を有することを特徴とする請求項１に記載の光治療用装置。
【請求項４】
前記複数の電界発光素子が、発光波長が４００〜２０００ｎｍの領域内にある有機エレクトロルミネッセンス素子であることを特徴とする請求項１から請求項３までのいずれか一項に記載の光治療用装置。
【請求項５】
前記複数の電界発光素子が有する基板が、フレキシブル基板であることを特徴とする請求項１から請求項４までのいずれか一項に記載の光治療用装置。
【請求項６】
前記複数の電界発光素子が、導線により接続されていることを特徴とする請求項１から請求項５までのいずれか一項に記載の光治療用装置。
【請求項７】
前記導線が、導電性ポリマーを主成分として構成され、伸縮構造を有することを特徴とする請求項６に記載の光治療用装置。
【請求項８】
前記複数の電界発光素子が、それぞれ独立した駆動電力部を有していることを特徴とする請求項１から請求項５までのいずれか一項に記載の光治療用装置。
【発明の詳細な説明】
【技術分野】
【０００１】
本発明は光治療用装置に関し、更に詳しくは、伸縮性を有する基材上に、複数の電界発光材料と、粘着層とを有する光治療用装置に関する。
【背景技術】
【０００２】
従来、特定の疾病に対し、光照射による治療、いわゆる光治療が有効であることが知られている。例えば、肩こりや腰痛などの疼痛緩和や薄毛治療には赤色光や赤外線の照射による治療が行われている。この赤外線、例えば、近赤外線光の照射により、血管を拡張させることにより、組織血流を増加させたり、交感神経系の興奮を抑制したり、細胞組織を活性化して創傷治癒を促進したり、炎症性サイトカインや発痛物質に働きかけて抗炎症作用や鎮痛作用をもたらしたりすることはよく知られている。特に、水、ヘモグロビン、メラニンに対する吸収が少ない波長８００〜９００ｎｍ近傍の近赤外線領域は生体透過度に優れ、温熱効果とは異なる作用機序によって炎症抑制や疼痛緩和されることが明らかになってきた。一方、アトピー性皮膚炎の治療には青色光や紫外線の照射による治療が行われている。
【０００３】
このように、様々な疾患に対する治療に光が用いられており、この単独で光を用いる方法を、光線療法といい、光の照射と共に、光化学療法剤を併用する治療法を光線力学的療法（ＰＤＴ：Ｐｈｏｔｏ  Ｄｙｎａｍｉｃ  Ｔｈｅｒａｐｙ）という。このＰＤＴにおいては、光化学療法剤として知られる感光性治療剤が、身体の被処置領域に外部から又は内部から供給される。これらの療法を用いてさまざまな皮膚疾患および内部疾患の治療が可能である。
【０００４】
以上のような光治療に用いられる光治療用装置としては、面上に無機発光ダイオード（Ｌｉｇｈｔ  Ｅｍｉｔｔｉｎｇ  Ｄｉｏｄｅ、以下、ＬＥＤと略記する。）を配列した複数の発光手段と、発光手段のそれぞれについて発光量や発光時間を制御する制御手段とを備えた、近赤外線光により炎症性疼痛の緩解などの治療を行うための光治療用装置が提案されている（例えば、特許文献１参照。）。特許文献１で開示されている光治療用装置によれば、治療光の照射面における光強度分布や温度分布が均一化され、治療部位となる照射面全体に均一に治療光を照射して治療効果を高めることができるとされている。
【０００５】
しかしながら、光源として使用しているＬＥＤは、ＬＥＤ自身が発する熱等による影響や、ＬＥＤ光源と共に、拡散板等を具備しているため、フレキシブル性に乏しい発光素子である。例えば、治療対象である患部の曲面構造に対し、均一に光照射させようとする場合には、多くのＬＥＤを配置する必要があり、多数のＬＥＤの発光制御が必要となるという問題も抱えている。
【０００６】
上記の問題に対し、光源として有機発光ダイオード（以下、有機エレクトロルミネッセンス素子、ＯＬＥＤ又は有機ＥＬ素子という。）を用いた光治療用装置が提案されている。例えば、治療上又は美容上の処置で用いる移動式機器で、治療すべき領域に有機発光半導体として有機ＥＬ素子を用いて、光照射して治療する光治療用装置が開示されている（例えば、特許文献２参照。）。また、治療用波長を発する有機ＥＬ素子と、当該有機ＥＬ素子の発光条件を制御する制御モジュールを有する光線治療器が開示されている（例えば、特許文献３参照。）。この開示されている方法によれば、複数の有機ＥＬ素子を選択的に選択あるいは制御モジュールで発光を制御することにより、光照射システムを所望の色特性に制御することができるとされている。
【０００７】
しかしながら、上記提案されている有機ＥＬ素子を用いた光治療用装置では、患部に均一な光の照射を行うような工夫がなされているが、ＯＬＥＤから構成されている光治療装置の光源部は、多くの場合、曲面を有する患部に対し、一定の間隔をもって離間した位置に配置される場合が多い。その結果、治療時に腕、足、顔、胴等の治療対象の患部が動いたり、移動したりすることにより、光照射時の光束方向と患部位置にずれが生じ、効果的な光治療を行うことができなくなる。このようの問題に対し、光治療装置の全面にＯＬＥＤを配置することにより、一定の対応は可能ではあるが、多数のＯＬＥＤを配置することにより、ＯＬＥＤの発光に伴い多量の熱エネルギーが発生し、患部等へ過度の熱量の付与により、やけど等の影響が懸念され、安全な治療また長時間の治療をすることは困難である。また、ＯＬＥＤ単独による光線治療では、その治療効果としては自ずと制限がある。
【０００８】
また、特許文献４には、パッチの一方の面側に、接着層、薬剤層及び光照射又は化学反応により治療光線を発射する自発的発光層を有する光線治療パッチが提案されている。特許文献４に記載の方法によれば、内部に電源を配置させることがなく、薄膜設計が可能で、携帯に特徴を備えた光線治療パッチであるとされている。
【０００９】
しかしながら、特許文献４で提案されている光線治療パッチを構成する自発的発光層としては、化学反応により駆動する蛍光層や、光照射等により駆動して、治療光線を発射する有機発光層であるが、このような方法では、光治療に必要な光量としては低く、多くの自発的発光層を配置する必要があり、かつ、外光の無い治療環境では、使用することができないという問題を抱えている。
【００１０】
また、上記提案されている各方法では、ＯＬＥＤ等を保持している基材の多くは、フレキシブル性は備えているものの、市販されている湿布薬のような伸縮性を備えているものではなく、基材を伸ばした後、様々な形状を持つ患部にしっかりと固定させた後、収縮力を利用して密着させることができないという問題を抱えている。
【先行技術文献】
【特許文献】
【００１１】
【特許文献１】特開２００９−０５５９６９号公報
【特許文献２】特表２００５−５２０５８３号公報
【特許文献３】特表２０１２−５１４４９８号公報
【特許文献４】特開２０１１−２５５１５７号公報
【発明の概要】
【発明が解決しようとする課題】
【００１２】
本発明は、上記問題に鑑みてなされたものであり、その解決課題は、治療時に高エネルギーで、かつ発熱が少ない複数の面発光体を具備し、伸縮性に優れ、様々な曲面を有する患部に対し、しっかりと密着させることができ、高い光治療効果を発揮することができる光治療用装置を提供することである。
【課題を解決するための手段】
【００１３】
本発明者は、上記課題に鑑み鋭意検討を進めた結果、伸縮性基材上に、複数の電界発光素子と、粘着層とを有することを特徴とする光治療用装置により、治療時に高エネルギーで、かつ発熱が少ない複数の面発光体を具備し、伸縮性に優れ、様々な曲面を有する患部に対し、しっかりと密着させることができ、高い光治療効果を発揮することができる光治療用装置を得ることができることを見出し、本発明に至った。
【００１４】
すなわち、本発明の上記課題は、下記の手段により解決される。
【００１５】
１．伸縮性基材上に、複数の電界発光素子と、粘着層とを有することを特徴とする光治療用装置。
【００１６】
２．前記伸縮性基材の一方の面側に、前記複数の電界発光素子と、当該電界発光素子上に前記粘着層を有することを特徴とする第１項に記載の光治療用装置。
【００１７】
３．前記伸縮性基材の一方の面側に、前記複数の電界発光素子を有し、前記基板の前記電界発光素子を有する面とは反対側の面に、前記粘着層を有することを特徴とする第１項に記載の光治療用装置。
【００１８】
４．前記複数の電界発光素子が、発光波長が４００〜２０００ｎｍの領域内にある有機エレクトロルミネッセンス素子であることを特徴とする第１項から第３項までのいずれか一項に記載の光治療用装置。
【００１９】
５．前記複数の電界発光素子が有する基板が、フレキシブル基板であることを特徴とする第１項から第４項までのいずれか一項に記載の光治療用装置。
【００２０】
６．前記複数の電界発光素子が、導線により接続されていることを特徴とする第１項から第５項までのいずれか一項に記載の光治療用装置。
【００２１】
７．前記導線が、導電性ポリマーを主成分として構成され、伸縮構造を有することを特徴とする第項６に記載の光治療用装置。
【００２２】
８．前記複数の電界発光素子が、それぞれ独立した駆動電力部を有していることを特徴とする第１項から第５項までのいずれか一項に記載の光治療用装置。
【発明の効果】
【００２３】
本発明の上記手段により、治療時に高エネルギーで、かつ発熱が少ない複数の面発光体を具備し、伸縮性に優れ、様々な曲面を有する患部に対し、しっかりと密着させることができ、高い光治療効果を発揮することができる光治療用装置を提供することができる。
【００２４】
本発明で規定する構成により、上記問題を解決することができたのは、以下の理由によるものと推測している。
【００２５】
本発明の光治療用装置においては、伸縮性を有する基材上に、面発光体として複数の電界発光素子、例えば、ＬＥＤや有機ＥＬ素子、より好ましくはフレキシブル性を備えた有機ＥＬ素子と、粘着層を有する光治療用装置を、治療対象の患部に確実に密着して光治療を行うことにより、優れた光治療効果を得ることができることが特徴である。
【００２６】
従来のように、大面積の有機ＥＬ素子を面光源として利用する場合、有機ＥＬ素子は、横方向への伸縮力を受けた際に、素子の破壊が生じやすいため、基材に対しては、過度の伸縮性を付与することができない状況にあった。その結果、様々な曲面を有する患部の形状に対応して、安定して光治療用装置を密着させることができなかった。
【００２７】
本発明は、上記問題を踏まえ、詳細な検討を行った結果、面発光体である電界発光素子、具体的には、１つ当たりの有機ＥＬ素子のサイズを小さくし、かつ、面方向に、それぞれ独立した状態で、複数の有機ＥＬ素子を配置し、有機ＥＬ素子群を形成することにより、伸縮性基材を伸ばした際にも、個々の独立した有機ＥＬ素子は、過度の引張りストレスを受けることによる破壊を防止することができるとともに、高照射エネルギーによる光治療効果を発現させることができたものである。
【００２８】
更に、本発明の光治療用装置においては、複数の面発光体を導線により接続させる構成とすること、さらに好ましくは、伸縮構造を有する導線により接続し、これをコンセント等の外部電源に接続することにより、夜間や室内の暗所でも使用することができる。また、電界発光素子が、それぞれ独立した駆動電力部、例えば、薄型電池等を具備することにより、使用する場所や時間に関係なく、光治療を行うことができる。更に、携帯性に優れた本発明の光治療用装置は、病院等の限定された場所以外に、専門の技術を必要としないような光治療の種類によっては、自宅や旅行先などでも、利用することができる。
【００２９】
本発明の光治療用装置における効果としては、面発光体による光治療と共に、更に、粘着層に薬剤等の光化学療法剤を併用する光線力学的療法を適用することもできる。
【図面の簡単な説明】
【００３０】
【図１】本実施形態の光治療用装置の構成の一例（実施態様１）を示す概略断面図
【図２】図１に記載の光治療用装置の全体構成の一例を示す概略斜視図
【図３】電界発光素子として好適に用いられる有機機能層ユニットを含む有機ＥＬ素子の全体構成を示す断面図
【図４】本実施形態の光治療用装置の他の構成（実施態様２）の一例を示す概略断面図
【図５】複数の有機ＥＬ素子を、伸縮構造を有する導線で接続した一例（実施態様３）を示す概略断面図
【図６】複数の有機ＥＬ素子を、伸縮構造を有する導線で接続した他の一例（実施態様４）を示す概略断面図
【図７】接着層を介して曲面の患部に、本実施形態の光治療用装置を密着して装着した状態を示す模式図
【図８】電界発光素子の一例で、無機発光ダイオードであるＬＥＤを光源とするＬＥＤ発光デバイスの一例を示す概略断面図
【図９】有機ＥＬ素子の具体的構成の第１例（実施態様５）を示す概略断面図
【図１０】有機ＥＬ素子の具体的構成の第２例（実施態様６）を示す概略断面図
【図１１】有機ＥＬ素子の具体的構成の第３例（実施態様７）を示す概略断面図
【図１２】有機ＥＬ素子の具体的構成の第４例（実施態様８）を示す概略断面図
【図１３】本実施形態の光治療用装置内に、電界発光素子駆動用の薄膜電池を装着した一例（実施態様９）を示す概略断面図
【図１４】本発明に適用可能な薄型電池の一例である薄型リチウムイオン電池の構成を示す概略断面図
【図１５】形態の光治療用装置の外部に、電界発光素子駆動用の電源を設けた一例（実施態様１０）を示す概略断面図
【図１６】粘着層中に、光散乱粒子を存在させた構成の一例（実施態様１１）を示す概略断面図
【発明を実施するための形態】
【００３１】
本発明の光治療用装置は、伸縮性基材上に、複数の電界発光素子と、粘着層とを有することを特徴とする。この特徴は、請求項１から請求項８に係る発明に共通する技術的特徴である。
【００３２】
本発明の実施態様としては、本発明の目的とする効果をより発現できる観点から、後述の図１（実施態様１）、図２等で示すように、光治療用装置が、伸縮性基材の一方の面側に、前記複数の電界発光素子と、当該電界発光素子上に前記粘着層を有する構成とすることが、光治療効果をより発現させることができる観点から好ましい態様である。
【００３３】
また、後述の図４（実施態様２）で示すように、伸縮性基材の一方の面側に、前記複数の電界発光素子を有し、前記基板の前記電界発光素子を有する面とは反対側の面に、粘着層を有する構成とすることも好ましい態様である。
【００３４】
また、電界発光素子として、発光波長が４００〜２０００ｎｍの領域内にある有機エレクトロルミネッセンス素子を適用することが、幅広い範囲で発光波長を設定でき、様々な病気の治療や美容的症状に対し、高い発光エネルギーで効果的な治療を行うことができる観点から好ましい構成である。
【００３５】
また、複数の電界発光素子を構成する基板が、フレキシブル基板であることが、光治療装置として高いフレキシブル性を付与することができ、その結果、様々な患部の形態に対応する光放射面形状を形成し、患部に安定して密着させることができ、光治療効率を高めることができる観点から好ましい。
【００３６】
また、複数の電界発光素子が、それぞれ導線により接続されている形態であることが好ましく、更には前記導線が、導電性ポリマーを主成分として構成され、伸縮構造を有する構造であることが、伸縮性基材を伸ばした際に、それに連動して、導線も伸縮する構造とすることにより、伸縮時に断線等の発生を防止することができる。
【００３７】
また、複数の電界発光素子が、それぞれ独立した駆動電力部を有していることにより、伸縮性基材の伸縮等による影響を受け難くすることができる。
【００３８】
以下、本発明とその構成要素、及び本発明を実施するための形態・態様について詳細な説明をする。なお、本発明において示す「〜」は、その前後に記載される数値を下限値及び上限値として含む意味で使用する。
【００３９】
《光治療用装置》
本発明の光治療用装置は、伸縮性基材上に、複数の電界発光素子と、粘着層とを有することを特徴とする。
【００４０】
光治療用装置において、様々な形状を有する患部に対し安定した状態で密着させる手段として、本願発明では、伸縮基材を用いることにより、引き伸ばしながら患部に密着させることができ、かつ伸縮基材上に、小型、例えば、１ｃｍ×１ｃｍ〜３ｃｍ×３ｃｍ程度の小型の電界発光素子チップを複数個配置して、発光面積を確保する構造とすることにより、伸縮性基材の伸縮に対しても、個々の電界発光素子チップが大きなストレスを受けることなく、様々な患部の形態に対して安定して密着させることができ、高い光治療効果を得ることができる。
【００４１】
更には、粘着層により、患部に光治療用の発光光源である複数の電界発光素子を、正確な位置で配置させることができ、また、治療時に患部が動いたりすることによるズレを防止することができ、ピンポイントで、患部に治療用の光照射を行うことができるため、大面積の面発光部材を設ける必要がなくなり、安定した条件での光照射を可能とし、患部等での発熱等を抑制することにより、効率的な治療効果を得ることができる。
【００４２】
更には、粘着層中に薬剤等を含ませて、光化学療法剤を併用する治療法である光線力学的療法（ＰＤＴ）を施すことも有効である。
【００４３】
なお、本発明でいう「伸縮性」に関する定義については後述する。
【００４４】
以下、本発明の実施の形態を、図面に基づいて説明する。
【００４５】
なお、以下に説明する各実施態様において同一の構成要素には同一の符号を付し、重複する説明は省略する。また、各構成要素のあとの括弧内に記載の数字は、各図に記載した構成要素の符号を表す。
【００４６】
なお、以下の図面を用いた説明においては、粘着層を有する面が、患部と接する面となる。また、各図の下面側が、光照射面として記載してある。
【００４７】
《光治療用装置の全体概要》
以下の各光治療用装置の具体的な説明においては、電界発光素子の代表例として、有機ＥＬ素子（ＯＬＥＤ）を用いた構成について説明する。
【００４８】
図１は、伸縮性基材上に、複数の電界発光素子及び粘着層を設けた本発明の光治療用装置の構成の一例（実施態様１）を示す概略断面図である。
【００４９】
図１に示す光治療用装置（Ｍ）は、伸縮性基材（１００）上に、粘着層（１０２）を配置し、その粘着層内に、電界発光素子の一例である有機ＥＬ素子（ＯＬＥＤ）を複数個配置する構成である。この場合、有機ＥＬ素子（ＯＬＥＤ）は、フレキシブル基板を有する構成であることが好ましい。また、複数の有機ＥＬ素子（ＯＬＥＤ）は、伸縮構造を有し、導電性ポリマーを主成分として構成される導線（１０５）により接続されている構成が好ましい。また、適用する粘着層（１０２）は、伸縮性基材（１００）の伸縮に対応した伸縮性を具備していることが好ましい。粘着層を構成する伸縮性を有する構成材料については後述する。
【００５０】
図１で示す実施態様１の光治療用装置（Ｍ）においては、伸縮性基材（１００）を引き伸ばし、粘着材料により構成される粘着層（１０２）を患部に安定して密着させた状態で、複数の有機ＥＬ素子（ＯＬＥＤ）より光治療用の発光光（Ｌ）を下方に位置している患部に対し照射することにより、効率的に光治療を実施することができる。更には、粘着層中に薬剤を添加して、光化学療法剤を併用する光線力学的療法を適用することもできる。
【００５１】
図２は、図１で説明した実施態様１である光治療用装置の全体構成の一例を示す概略斜視図である。
【００５２】
図１で説明したように、光治療用装置（Ｍ）は、伸縮性基材（１００）の下部に、粘着層（１０２）を配置し、その粘着層内に、複数の有機ＥＬ素子（ＯＬＥＤ）を、導線（１０５）を介して接続配置している。この導線（１０５）は、更に、駆動電力部（不図示）や発光制御部（不図示）に接続されている。
【００５３】
図３は、図１及び図２で示した有機ＥＬ素子（ＯＬＥＤ）の構成を、更に詳細に説明するための部分構成図である。
【００５４】
本発明に係る有機ＥＬ素子（ＯＬＥＤ）は、透明基材（１）上に、一対の電極を構成する第１電極（６、例えば、陽極）と、その上に、正孔注入層や正孔輸送層等から構成される有機機能層群１（７）と、発光層（８）及び電子注入層や電子輸送層等から構成される有機機能層群２（９）で構成される有機機能層ユニット（２）を有している。
【００５５】
図３では、便宜上、１つの有機機能層ユニット（２）のみを記載しているが、２つ以上の有機機能層ユニット（２）が積層された構造であってもよい。
【００５６】
上記説明した有機機能層ユニット（２）上には、第２電極（１０、例えば、陰極）が形成されて、第１電極（６）〜第２電極（１０）までで、発光ユニット（Ｕ）を構成している。第２電極（１０）の上部には、少なくとも有機機能層ユニット（２）を被覆する形態で、封止用接着層（３）及び封止基板（４）が設けられて、有機ＥＬ素子（ＯＬＥＤ）を形成している。有機ＥＬ素子（ＯＬＥＤ）を構成する発光ユニット（Ｕ）は、発光量、発光波長や発光時間を制御するための発光制御手段（不図示）や駆動電力を供給する電源（不図示）等に接続されている。本発明でいう基材は、上記透明基材（１）又は封止基板（４）がそれに相当する。また、上記各基材とは別に、他の基材を設ける構成であってもよい。
【００５７】
光治療用装置（Ｍ）は、粘着層（１０２）を介して、患部（ＡＰ）に密着して保持する。この時、有機ＥＬ素子（ＯＬＥＤ）を構成する透明基材及び封止基材は、フレキシブル性を有する材料で構成することが、様々な表面形態を有する患部（ＡＰ）に対し、形状を自由に形成することができる観点から好ましい。本発明でいうフレキシブル性基板とは、直径５ｍｍのＡＢＳ樹脂（アクリロニトリル−ブタジエンースチレン共重合体樹脂）製の棒に１０回巻きつけと開放を繰り返した後、目視確認にて基板に割れや欠け等の損傷がない特性を備えた基板をいう。
【００５８】
図３に示すような有機ＥＬ素子（ＯＬＥＤ）の構成において、透明基材（１）上に、一対の電極で挟持された発光層を含む有機機能層ユニット及封止部材を設けた構成を「有機ＥＬ素子（ＯＬＥＤ）」と称し、一対の電極、例えば、陽極、発光層、有機機能層群、及び陰極によりなる構成を、「発光ユニット（Ｕ）」と称し、例えば、発光層及び有機機能層群により構成されるものを「有機機能層ユニット（２）」と称す。
【００５９】
図４は、本実施形態の光治療用装置の第２の構成（実施態様２）を示す概略断面図である。
【００６０】
図４で示す光治療用装置（Ｍ）は、上記説明した図１で示す光治療用装置（Ｍ）に対し、伸縮性基材（１００）の光照射面側に、患部に密着する粘着層（１０２）を配置し、伸縮性基材（１００）の反対側の面に、複数の有機ＥＬ素子（ＯＬＥＤ）のそれぞれを、伸縮性を有する導線で接続している構成で配置し、有機ＥＬ素子（ＯＬＥＤ）の上面側を、伸縮性を有する封止膜（３Ａ）で被覆している構成である。
【００６１】
本発明の光治療用装置においては、複数の電界発光素子、例えば、有機ＥＬ素子（ＯＬＥＤ）を、それぞれ導線により接続されている構成であることが好ましく、更には導電性ポリマーを主成分として構成され、伸縮構造を有する導電を適用することが好ましい態様である。
【００６２】
本発明においては、伸縮性基材の伸縮方向に対し、非伸縮性又は低伸縮性導線や、伸縮構造を有する導電で、複数個配置されている電界発光素子間を電気的に接続する構成が好ましい。
【００６３】
より具体的には、非伸縮性あるいは低伸縮性導線を用いる場合には、伸縮性基材の伸縮方向と交差する直角方向に導電を配置させることが好ましく、このような構成とすることにより、伸縮性基材の伸縮に伴う導線の切断等を回避することができる。
【００６４】
さらに好ましい態様としては、伸縮構造を有する導電を、伸縮性基材の伸縮方向と交差する直角方向や伸縮性基材の伸縮方向に配置させることができ、このような伸縮構造を有する導電を、特に、伸縮性基材の伸縮方向に配置させることにより、伸縮性基材の伸縮による導線の切断等を回避することができる。
【００６５】
非伸縮性又は低伸縮性導電としては、通常の電気配線で用いる導電性金属材料の他に、フレキシブルプリント回路（ＦＰＣと略記する。）、プリント配線等を挙げることができ、伸縮構造を有する配線としては、伸縮特性を備え、非金属の導電性ポリマーにより導線を構成することにより、伸縮性基材の伸縮に連動して、バネ状、らせん状、あるいは蛇腹状の導線が、伸縮方向に自由に伸縮することにより、導線の破断を起こすことなく、安定して、複数の有機ＥＬ素子（ＯＬＥＤ）を電気的に接続することができる。なお、導線を構成する各材料の詳細については後述する。
【００６６】
図５は、複数の有機ＥＬ素子を、らせん構造を有する伸縮性導線で接続した一例（実施態様３）を示す概略断面図である。
【００６７】
図５の（ａ）に示す光治療用装置（Ｍ）は、前記図１に示した実施態様１に準ずる構成で、未伸縮の状態で、一方の有機ＥＬ素子１（ＯＬＥＤ１）と、他方の有機ＥＬ素子２（ＯＬＥＤ２）間を、伸縮性を有するらせん状の導線（Ｓ）で、電気的に接続している。
【００６８】
図５の（ｂ）に示す光治療用装置（Ｍ）では、伸縮性基材（１００）を横方向に、Ｌ１からＬ２に伸ばした状態を示しており、伸縮性基材（１００）の伸びに応じて、らせん状の導線（Ｓ）を伸長して追随し、導線の断線等を防止する。この時、粘着層（１０２）も同様に伸長する。
【００６９】
図６は、複数の有機ＥＬ素子を、蛇腹構造を有する伸縮性導線で接続した一例（実施態様４）を示す概略断面図である。
【００７０】
図６においては、図５と同様に、有機ＥＬ素子１（ＯＬＥＤ１）と、他方の有機ＥＬ素子２（ＯＬＥＤ２）間を、伸縮性を有する蛇腹状の導線（Ｂ）で、電気的に接続し、伸縮性基材の伸長に連動して、伸長することにより、断線を防止する構成である。
【００７１】
図７は、接着層を介して曲面の患部に、本実施形態の光治療用装置を密着して装着した状態を示す模式図である。
【００７２】
図７では、先に図１で説明した実施態様１の光治療用装置（Ｍ）を用いた例を示しており、伸縮性基材（１００）、有機ＥＬ素子（ＯＬＥＤ）及び粘着層（１０２）で構成されている光治療用装置（Ｍ）を、曲面形状の患部（ＡＰ）に対し、粘着層（１０２）を介して、密着して保持する。この時、光治療用装置（Ｍ）を構成している有機ＥＬ素子（ＯＬＥＤ）を構成する基板は、フレキシブル性を有していることが、図７で示すような患部（ＡＰ）の様々な表面形態に対応して、形状を自由に形成することができる構成であることが好ましい。
【００７３】
光治療時には、図７で示すように患部（ＡＰ）に光治療用装置（Ｍ）を密着させた状態で、治療的疾患あるいは美容的症状の治療に対応した波長の発光光（Ｌ）を有機ＥＬ素子（ＯＬＥＤ）より患部（ＡＰ）に照射することにより、光線治療を行う。
【００７４】
なお、図１〜図７で例示した本発明の光治療用装置（Ｍ）においては、必要に応じて、粘着層中に薬剤を更に添加して、所望の薬剤成分を患部に供給することにより、光線治療と共に、薬剤治療を同時に行う光線力学的療法（ＰＤＴ）を用いることもできる。
【００７５】
次いで、本発明の光治療用装置（Ｍ）を構成する伸縮性基材、電界発光素子、粘着層、及び導線の構成の詳細について説明する。
【００７６】
《伸縮性基材》
本発明の光治療用装置（Ｍ）においては、伸縮性基材を適用することが、特徴の一つである。
【００７７】
（伸縮性の定義）
本発明では、「伸縮性基材」とは、下記の条件を満たす基材であると定義する。
【００７８】
本発明でいう伸縮性基材は、下記の方法で測定した基材の長さ方向の引張伸度が３０％以上で、かつ、下記の方法で測定した基材の長さ方向の３０％伸長時回復率が６０％以上である性能のことをいう。すなわち、本発明に係る伸縮性基材は、長さ方向の引張伸度が３０％以上、及び、長さ方向の３０％伸長時回復率が６０％以上の基材を意味する。
【００７９】
（１）引張伸度（％）
オリエンテック社製のＴＥＮＳＩＬＯＮ（登録商標）  ＵＣＴ−１００を用いて、室温２３℃、相対湿度６５％の環境下で引張伸度を測定する。
【００８０】
具体的には、測定方向に長さ１５０ｍｍ、幅１０ｍｍの短冊状のサンプルを切り出し、初期引張チャック間距離５０ｍｍ、引張速度２００ｍｍ／分で、ＪＩＳ  Ｋ−７１２７（１９９９）に規定された方法にしたがって、長さ方向について１０回の測定を行い、その平均値を引張伸度とする。
【００８１】
（２）３０％伸長時回復率（％）
オリエンテック社製ＴＥＮＳＩＬＯＮ（登録商標）  ＵＣＴ−１００を用いて、室温２３℃、相対湿度６５％の環境下で、３０％伸長時回復率を測定する。
【００８２】
具体的には、長さ方向に長さ１５０ｍｍ、幅１０ｍｍの短冊状にサンプルを切り出し、長さ方向中央部分５０ｍｍの両端にマジックで印をつけた。初期引張チャック間距離５０ｍｍ、２００ｍｍ／分の速度で３０％伸長し、１０秒後、２００ｍｍ／分の速度で伸長歪みを解放する。伸長前のマジック間の距離（Ｌ０）と、伸長歪み解放後のマジック間の距離（Ｌ１）をノギスで測定し、以下の式にて３０％伸長時回復率を算出した。この測定を１０回行い、その平均値を長さ方向の３０％伸長時回復率とする。
【００８３】
３０％伸長時回復率（％）＝｛（Ｌ０−Ｌ１）／Ｌ０｝×１００
Ｌ０：伸長前のフィルムの長さ（マジック間の距離）
Ｌ１：伸長歪み解放後のフィルムの長さ（マジック間の距離）
（伸縮性基材の構成材料）
本発明においては、上記規定する条件を満たす材料であれば、制限なく用いることができる。
【００８４】
以下、本発明に係る伸縮性基材に適用可能な材料について、列挙する。
【００８５】
〈ゴム材料〉
伸縮性を有する材料としては、例えば、フッ素ゴム、シリコーンゴム、ニトリルゴム、アクリルゴム、スチレンゴム、クロロプレンゴム、ウレタンゴム、ブチルゴム、エチレンゴム、プロピレンゴム、エチレンプロピレンゴム、天然ゴム、及びこれらの２種以上の複合体からなる群から選ばれた少なくとも１種の、架橋剤により架橋されたエラストマー、又は繊維を挙げることができる。
【００８６】
〈ポリマー材料〉
例えば、ポリウレタン系樹脂、ポリエチレン、ポリプロピレン等のオレフィン系樹脂、塩化ビニル系樹脂、エチレン−酢酸ビニル系樹脂、ポリエステル系樹脂、及び、ナイロン等を単独で、あるいは２種類以上をブレンドしたものを主成分としてなるフィルム、あるいは、上記材料にポリスチレンユニットからなるトリブロック共重合体を添加したものを主成分とするものからなるフィルム等が挙げられる。
【００８７】
〈一方向伸縮性基材〉
一方向伸縮性基材は、伸縮性と熱可塑性とを有するエラストマー材料からなる複数の線状体が互いに直交するように配列した網状体と、熱可塑性樹脂から形成された複数の長繊維から形成された不織布と、を有している。
【００８８】
エラストマー材料としては、例えば、スチレン系エラストマー、ウレタン系エラストマーなどから形成することができる。スチレン系エラストマーとしては、スチレン−エチレン−ブチレン−スチレン共重合体（ＳＥＢＳ）、スチレン−エチレン−プロピレン−スチレン共重合体（ＳＥＰＳ）、スチレン−イソプレン−スチレン共重合体（ＳＩＳ）、スチレン−ブチレン−スチレン共重合体（ＳＢＳ）などが挙げられる。ウレタン系エラストマーとしては、ポリエステル、低分子グリコール、メチレンビスフェニルイソシアネートまたはトリジンジイソシアネートなどが挙げられる。
【００８９】
不織布としては、例えば、ナイロン、ポリエステル等の熱可塑性樹脂から形成することができ、特にポリエチレンテレフタレート（ＰＥＴ）が好適に用いられる。
【００９０】
《電界発光素子》
本発明に係る電界発光素子は、発光する化合物（無機化合物又は有機化合物）を含有する発光層を陰極と陽極で挟んだ構成を有し、電界を印加することにより、陽極から注入された正孔と陰極から注入された電子が発光層内で再結合させること励起子（エキシトン）を生成させ、このエキシトンが失活する際の光の放出（蛍光・リン光）を利用した発光素子である。
【００９１】
次いで、本発明に適用可能な電界発光素子（発光ダイオードともいう。）について、その代表例として、無機発光ダイオード（ＬＥＤ）及び有機ＥＬ素子について、その構成の詳細を説明する。
【００９２】
［無機発光ダイオード：ＬＥＤ］
以下、電界発光素子である無機発光ダイオード（ＬＥＤ）について説明する。
【００９３】
図８は、本発明に適用可能な電界発光素子の一例である無機発光ダイオード（ＬＥＤ）を光源とするＬＥＤ発光デバイスの構成例を示す断面図である。
【００９４】
図８において、ＬＥＤ発光デバイス（３０１）は、電界発光素子であるＬＥＤ光源（３０２）と、広範囲に、かつ均一に発光光（Ｌ）させるための、導光体（３０４）、反射板（３０５）及び拡散板（３０６）よりなる光学系より構成されている。導光体（３０４）としては、例えば、アクリル板を用いることができ、本発明においては、拡散板（３０６）に、光取り出し効率を上げるためのアウトカップリングフィルムとして、層中に散乱粒子を含有する光散乱フィルムや、表面の凹凸構造を有する光散乱フィルム、内部散乱層等を具備させることにより、本発明で規定する半値幅特性を得ることができる。
【００９５】
任意の波長の発光を得るためには、任意の波長のＬＥＤ発光デバイス（３０１）の発光光（Ｌ）を放出するＬＥＤ光源（３０２）を用いてもよいし、任意の発光波長を有する発光物質を塗布した層、もしくは含有させた層を、拡散板（３０６）の上面又は下面に配置、または任意の発光波長を有する発光物質を含有する拡散板（３０６）を用い、ＬＥＤ光源（３０２）で励起して発光させることにより、発光極大波長の角度依存性を抑制することができる。
【００９６】
このような機能を有する発光物質としては、例えば、量子ドットや蛍光材料がある。または、白色のＬＥＤ光源（３０２）の光を、拡散板（３０６）の上面又は下面に設置したカラーフィルター、あるいはカラーフィルターの機能を有する拡散板（３０６）を用い、白色を変換して任意の波長の発光を得る方式であってもよい。
【００９７】
［有機ＥＬ素子］
本発明においては、電界発光素子として、上記説明したＬＥＤに対し、更には有機ＥＬ素子を適用することがより好ましい態様である。有機ＥＬ素子は、ＬＥＤに対し、柔軟性の高い樹脂基板等を適用することができ、電界発光素子として優れたフレキシブル性を付与することにより、曲面を有する患部にフィットした形状に安定して応答することができる。加えて、有機ＥＬ素子は、発光輝度が高く、光治療時の発熱がほぼなく、やけど等の危険性がないという利点を有している。
【００９８】
〔１．有機ＥＬ素子の基本構成〕
前記図２で示したように、本発明に係る有機ＥＬ素子（ＯＬＥＤ）は、透明基材（１）上に、一対の電極を構成する第１電極（６）、有機機能層群１（７）と、発光層（８）及び有機機能層群２（９）で構成される有機機能層ユニット（２）を有している。
【００９９】
更に、図２で示すように、有機機能層ユニット（２）上には、第２電極（１０）が形成されて、第１電極（６）〜第２電極（１０）までで、発光ユニット（Ｕ）を構成している。第２電極（１０）の上部には、少なくとも有機機能層ユニット（２）を被覆する形態で、封止用接着層（３）及び封止基板（４）が設けられて、有機ＥＬ素子（ＯＬＥＤ）を形成している。
【０１００】
〔２．有機ＥＬ素子の代表的な構成例〕
次いで、本発明において、電界発光素子として好適に用いることができる有機ＥＬ素子の具体的な構成例について、図を交えてその一例を説明する。なお、以下で説明する有機ＥＬ素子の構成は、その一例を示すものであり、ここで例示する構成のみに限定されるものではない。
【０１０１】
（２．１：シングル型の有機ＥＬ素子（実施態様５））
図９は、基材、好ましくはフレキシブル基材上に、一対の電極に挟持される１つの有機機能層ユニットを有する構成（実施態様５）の有機ＥＬ素子を示す概略断面図である。なお、各構成要素の詳細については、後述する。
【０１０２】
図９に示す構成の有機ＥＬ素子（ＯＬＥＤ）では、フレキシブル基材（１）上に、透明電極として陽極（６）を配置し、その上に、正孔注入層（ＨＩＬ）及び正孔輸送層（ＨＴＬ）を積層して、第１の有機機能層群（７）が形成されている。第１の有機機能層群（７）上には、第１発光層（１２）及び第２発光層（１３）が中間層（１４）を介して積層されて、発光層群（８）を構成している。また、中間層（１４）は、中間コネクター層とも呼ばれ、電荷発生層であってもよく、マルチフォトンユニット構成であってもよい。
【０１０３】
この発光層群（８）上に、電子輸送層（ＥＴＬ）及び電子注入層（ＥＩＬ）を積層した第２の有機機能層群（９）が形成されている。第１の有機機能層群（７）、発光層群（８）及び第２の有機機能層群（９）を、有機機能層ユニット（２）と称す。
【０１０４】
この第２の有機機能層群（９）上に反射電極として陰極（１０）が設けられて、発光ユニット（Ｕ）を構成している。最終的な有機ＥＬ素子を構成する場合には、図２で示すように、有機ＥＬ素子を封止部材で封止する構造をとるが、図９ではその記載は省略している。
【０１０５】
図９に記載の構成では、透明な陽極（６）と陰極（１０）の間に、電圧（Ｖ１）を印加することにより、２つの発光層（１２及び１３）又は発光層界面で発光し、透明電極である陽極（６）側から発光光（Ｌ）が放射される。
【０１０６】
図９に示す発光層（１２）及び発光層（１３）は、発光材料としては、後述する発光ドーパント（例えば、燐光発光性化合物や蛍光発光性化合物）とホスト化合物により形成されている。
【０１０７】
図９で示す構成の有機ＥＬ素子（ＯＬＥＤ）を具備することにより、治療時の発熱が少なく、患部との密着性及び曲面対応性に優れ、高い光治療効果を有する光治療用装置を実現することができる。
【０１０８】
（２．２：２つ有機機能層ユニットを有するタンデム型の有機ＥＬ素子（実施態様６））
図１０は、一対の電極に挟持される２つの有機機能層ユニットを有し、当該２つの有機機能層ユニットが、発光波長の異なる発光材料を含むタンデム型の有機ＥＬ素子の構成（実施態様６）を示す概略断面図である。
【０１０９】
図１０に示す有機ＥＬ素子（ＯＬＥＤ）の構成は、フレキシブル基板（１）上に、透明な陽極（６）を形成し、その上に、第１の正孔注入層（ＨＩＬ１）及び第１の正孔輸送層（ＨＴＬ１）を積層して、その上に第１の発光層（１２）を積層し、更にその上に、第１の電子輸送層（ＥＴＬ１）及び第１の電子注入層（ＥＩＬ１）を積層して有機機能層ユニット１（２Ａ）を構成している。
【０１１０】
次いで、有機機能層ユニット１（２Ａ）上に中間層（１４）を形成し、当該中間層（２３）を介して、その上に、有機機能層ユニット１（２Ａ）と同様の構成で、第２の正孔注入層（ＨＩＬ２）及び第２の正孔輸送層（ＨＴＬ２）を積層して、その上に第２の発光層（１３）を積層し、更にその上に、第２の電子輸送層（ＥＴＬ２）及び第２の電子注入層（ＥＩＬ２）を積層して有機機能層ユニット２（２Ｂ）を構成している。最後に、最上層に陰極（１０）が設けられて、フレキシブル基材（１）上に、発光ユニット（Ｕ）を構成している。
【０１１１】
図１０に記載の構成で、透明な陽極（６）と陰極（１０）の間に、リード線（１１）を介して電圧（Ｖ１）を印加することにより、発光層あるいは発光層界面で発光し、透明な陽極（６）側から発光光（Ｌ）が放射される。
【０１１２】
このような構成においては、第１の発光層（１２）と、第２の発光層（１３）においては、それぞれ発光波長の異なる発光材料を含有している。また、中間層（１４）は、中間コネクター層とも呼ばれ、電荷発生層であってもよく、マルチフォトンユニット構成であってもよい。
【０１１３】
図１０で示す構成の有機ＥＬ素子（ＯＬＥＤ）を具備することにより、治療時の発熱が少なく、患部との密着性及び曲面対応性に優れ、高い光治療効果を有する光治療用装置を実現することができる。
【０１１４】
（２．３：２つの独立した発光ユニットを有する独立駆動型の有機ＥＬ素子（実施態様７））
図１１に示す有機ＥＬ素子は、一対の電極に２つの有機機能層ユニットを有し、２つの有機機能層ユニット間に中間電極を配置し、それぞれの２つの発光ユニットを独立して形成している独立駆動型（調色方式）の有機ＥＬ素子の構成の一例（実施態様７）を示す概略断面図である。
【０１１５】
図１１に示す有機ＥＬ素子（ＯＬＥＤ）の構成は、フレキシブル基板（１）上に、透明な陽極（６）を形成し、その上に、第１の正孔注入層（ＨＩＬ１）及び第１の正孔輸送層（ＨＴＬ１）を積層して、その上に第１の発光層（１２）を積層し、更にその上に、第１の電子輸送層（ＥＴＬ１）及び第１の電子注入層（ＥＩＬ１）を積層して有機機能層ユニット１（２Ａ）を構成し、有機機能層ユニット１（２Ａ）上に中間電極（１５）を形成し、陽極（６）と中間電極（１５）間をリード線（１１Ａ）で接続して、独立制御が可能な第１の発光ユニット（Ｕ１）を構成している。
【０１１６】
次いで、中間電極（１５）上に、第２の正孔注入層（ＨＩＬ２）及び第２の正孔輸送層（ＨＴＬ２）を積層して、その上に第２の発光層（１３）を積層し、更にその上に、第２の電子輸送層（ＥＴＬ２）及び第２の電子注入層（ＥＩＬ２）を積層して有機機能層ユニット２（２Ｂ）を構成し、最上層に陰極（１０）が設けられている。更に、中間電極（１５）と陰極（１０）間をリード線（１１Ｂ）で接続して、独立制御が可能な第２の発光ユニット（Ｕ２）を構成している。
【０１１７】
図１１に記載の構成では、透明な陽極（６）と中間電極（１５）間に、リード線（１１Ａ）を介して電圧（Ｖ１）を印加することにより、発光ユニット１（Ｕ１）を独立して駆動し、中間電極（１５）と陰極（１０）の間に、リード線（１１Ｂ）を介して電圧（Ｖ２）を印加することにより、発光ユニット２（Ｕ２）を独立駆動し、いずれも、透明な陽極（５）側から発光光（Ｌ）が放射される。
【０１１８】
図１１で示す構成の有機ＥＬ素子（ＯＬＥＤ）を具備することにより、治療時の発熱が少なく、患部との密着性及び曲面対応性に優れ、高い光治療効果を有する光治療用装置を実現することができる。
【０１１９】
（２．４：３つの発光ユニットを有する独立駆動型の有機ＥＬ素子（実施態様８））
図１２に示す有機ＥＬ素子は、一対の電極に３つの有機機能層ユニットを有し、３つの有機機能層ユニット間にそれぞれ中間電極を配置し、３つの発光ユニットを独立して駆動することができる独立駆動型（調色方式）の有機ＥＬ素子の構成の一例（実施態様８）を示す概略断面図である
図１２に示す有機ＥＬ素子（ＯＬＥＤ）の構成は、フレキシブル基板（１）上に、透明な陽極（６）を形成し、その上に、図９に記載の構成と同様にして、第１の発光層を含む有機機能層ユニット１（２Ａ）を構成し、有機機能層ユニット１（２Ａ）上に中間電極１（１５Ａ）を形成し、陽極（６）と中間電極１（１５Ａ）間をリード線（１１Ａ）で接続して、独立制御が可能な第１の発光ユニット（Ｕ１）を構成している。
【０１２０】
次いで、中間電極１（１５Ａ）上に、図９の構成と同様にして、第２の発光層を含む有機機能層ユニット２（２Ｂ）を構成し、有機機能層ユニット２（２Ｂ）上に中間電極２（１５Ｂ）を形成し、中間電極１（１５Ａ）と中間電極２（１５Ｂ）間をリード線（１１Ｂ）で接続して、独立制御が可能な第２の発光ユニット（Ｕ２）を構成している。
【０１２１】
次いで、中間電極２（１５Ｂ）上に、同様にして、第２の発光層を含む有機機能層ユニット３（２Ｃ）を構成し、最上層に陰極（１０）が設けられ、中間電極２（１５Ｂ）と陰極（６）間をリード線（１１Ｃ）で接続して、独立制御が可能な第３の発光ユニット（Ｕ３）を構成している。
【０１２２】
図１２に記載の構成では、透明な陽極（６）と中間電極１（１５Ａ）間には、リード線（１１Ａ）を介して電圧（Ｖ１）を印加することにより、発光ユニット１（Ｕ１）を独立して駆動することでき、中間電極１（１５Ａ）と中間電極２（１５Ｂ）の間に、リード線（１１Ｂ）を介して電圧（Ｖ２）を印加することにより、発光ユニット２（Ｕ２）を独立駆動し、更に、中間電極２（１５Ｂ）と陰極（１０）の間に、リード線（１１Ｃ）を介して電圧（Ｖ３）を印加することにより、発光ユニット３（Ｕ３）を独立駆動し、いずれも、透明な陽極（６）側から発光光（Ｌ）が放射される。
【０１２３】
図１２で示す構成の有機ＥＬ素子（ＯＬＥＤ）を具備することにより、治療時の発熱が少なく、患部との密着性及び曲面対応性に優れ、高い光治療効果を有する光治療用装置を実現することができる。
【０１２４】
〔有機ＥＬ素子の構成材料〕
（１．全体構成）
本発明に適用可能な有機ＥＬ素子の概要については、例えば、特開２０１４−００３２４９号公報、特開２０１４−００３２９９号公報、特開２０１４−０１３９１０号公報、特開２０１４−０１７４９３号公報、特開２０１４−０１７４９４号公報等に記載されている構成を挙げることができる。
【０１２５】
また、タンデム型の有機ＥＬ素子の具体例としては、例えば、米国特許第６３３７４９２号明細書、米国特許第７４２０２０３号明細書、特開２００３−０４５６７６号公報、国際公開第２００５／００９０８７号、国際公開第２００５／０９４１３０号等に記載の素子構成や構成材料等が挙げられるが、本発明はこれらに限定されない。
【０１２６】
更に、有機ＥＬ素子を構成する各層について説明する。
【０１２７】
（２：基板）
有機ＥＬ素子（ＥＬ）に適用可能な基板（１）としては、特に制限はなく、例えば、ガラス、プラスチック等の種類を挙げることができる。更には、基板がフレキシブル性を有していることが好ましい。本発明でいうフレキシブル性とは、直径５ｍｍのＡＢＳ樹脂（アクリロニトリル−ブタジエンースチレン共重合体樹脂）製の棒に１０回巻きつけと開放を繰り返した後、目視確認にて基板に割れや欠け等の損傷がない特性をいう。
【０１２８】
本発明において、最表面（光放射面側）に配置される基板（１）は、少なくとも電界発光素子、例えば、有機ＥＬ素子により照射される光を、治療する患部に照射するため、４００〜２０００ｎｍの波長域で光透過性を有していること、すなわち透明であることが必要である。本発明でいう光透過性とは、基板（１）としては、４００〜２０００ｎｍの波長域における透過率が６０％以上であることをいい、好ましくは７０％以上、さらに好ましくは８０％以上、特に好ましくは９０％以上である。
【０１２９】
本発明に適用可能な樹脂基板としては、例えば、ポリエチレンテレフタレート（略称：ＰＥＴ）、ポリエチレンナフタレート（略称：ＰＥＮ）等のポリエステル、ポリエチレン、ポリプロピレン、セロファン、セルロースジアセテート、セルローストリアセテート（略称：ＴＡＣ）、セルロースアセテートブチレート、セルロースアセテートプロピオネート（略称：ＣＡＰ）、セルロースアセテートフタレート、セルロースナイトレート等のセルロースエステル類及びそれらの誘導体、ポリ塩化ビニリデン、ポリビニルアルコール、ポリエチレンビニルアルコール、シンジオタクティックポリスチレン、ポリカーボネート（略称：ＰＣ）、ポリメチルペンテン、ポリエーテルケトン、ポリイミド、ポリエーテルスルホン（略称：ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリル及びポリアリレート類、アートン（商品名、ＪＳＲ社製）及びアペル（商品名、三井化学社製）等のシクロオレフィン系樹脂等を挙げることができる。
【０１３０】
これら樹脂基板のうち、コストや入手の容易性の点では、ポリブチレンテレフタレート等のフィルムがフレキシブル性の樹脂基板として好ましく用いられる。
【０１３１】
樹脂基板の厚さとしては、１０〜５００μｍの範囲内にある薄膜の樹脂基板であることが好ましいが、より好ましくは３０〜４００μｍの範囲内であり、特に好ましくは、５０〜３００μｍの範囲内である。厚さが１０μｍであれば、光照射用発光ダイオードを安定して保持することができ、厚さが５００μｍ以下であれば、光治療時に発生する熱エネルギーを効率的に拡散させることができ、また、患者が衣服を着用したままでも肌に密着させることができる。
【０１３２】
また、本発明に係るフレキシブル性を有する基板として適用可能な薄板フレキシブルガラスとしては、ソーダ石灰ガラス、バリウム・ストロンチウム含有ガラス、鉛ガラス、アルミノケイ酸ガラス、ホウケイ酸ガラス、バリウムホウケイ酸ガラス、石英等を挙げることができる。薄板フレキシブルガラスの厚さとしては、例えば、１０〜５００μｍの範囲であり、好ましくは５０〜３００μｍの範囲である。
【０１３３】
（３：第１電極：陽極）
有機ＥＬ素子を構成する陽極としては、Ａｇ、Ａｕ等の金属又は金属を主成分とする合金、ＣｕＩ、あるいはインジウム−スズの複合酸化物（ＩＴＯ）、ＳｎＯ２及びＺｎＯ等の金属酸化物を挙げることができるが、金属又は金属を主成分とする合金であることが好ましく、更に好ましくは、銀又は銀を主成分とする合金である。
【０１３４】
透明陽極を、銀を主成分として構成する場合、銀の純度としては、９９％以上であることが好ましい。また、銀の安定性を確保するためにパラジウム（Ｐｄ）、銅（Ｃｕ）及び金（Ａｕ）等が添加されていてもよい。
【０１３５】
透明陽極は銀を主成分として構成されている層であるが、具体的には、銀単独で形成しても、あるいは銀（Ａｇ）を含有する合金から構成されていてもよい。そのような合金としては、例えば、銀−マグネシウム（Ａｇ−Ｍｇ）、銀−銅（Ａｇ−Ｃｕ）、銀−パラジウム（Ａｇ−Ｐｄ）、銀−パラジウム−銅（Ａｇ−Ｐｄ−Ｃｕ）、銀−インジウム（Ａｇ−Ｉｎ）などが挙げられる。
【０１３６】
上記陽極を構成する各構成材料の中でも、本発明に係る有機ＥＬ素子を構成する陽極としては、銀を主成分として構成し、厚さが２〜２０ｎｍの範囲内にある透明陽極であることが好ましいが、更に好ましくは厚さが４〜１２ｎｍの範囲内である。厚さが２０ｎｍ以下であれば、透明陽極の吸収成分及び反射成分が低く抑えられ、高い光透過率が維持されるため好ましい。
【０１３７】
本発明でいう銀を主成分として構成されている層とは、透明陽極中の銀の含有量が６０質量％以上であることをいい、好ましくは銀の含有量が８０質量％以上であり、より好ましくは銀の含有量が９０質量％以上であり、特に好ましくは銀の含有量が９８質量％以上である。また、本発明に係る透明陽極でいう「透明」とは、波長５５０ｎｍでの光透過率が５０％以上であることをいう。
【０１３８】
透明陽極においては、銀を主成分として構成されている層が、必要に応じて複数の層に分けて積層された構成であっても良い。
【０１３９】
また、本発明においては、陽極が、銀を主成分として構成する透明陽極である場合には、形成する透明陽極の銀膜の均一性を高める観点から、その下部に、下地層を設けることが好ましい。下地層としては、特に制限はないが、窒素原子又は硫黄原子を有する有機化合物を含有する層であることが好ましく、当該下地層上に、透明陽極を形成する方法が好ましい態様である。
【０１４０】
（４：中間電極）
本発明に係る有機ＥＬ素子においては、ハイパワーを得ることができる点から、陽極と陰極との間に、有機機能層群と発光層から構成される有機機能層ユニットを二つ以上積層、さらに、二つ以上積層した有機機能層層ユニット間で電気的接続を得るため、独立した接続端子を有する中間電極層ユニットで分離した構造をとることが好ましい。
【０１４１】
中間電極についても、上記説明した第１電極（陽極）の形成材料を同様に用いることができる。
【０１４２】
（５：発光層）
有機ＥＬ素子（ＯＬＥＤ）を構成する発光層は、電極又は電子輸送層から注入された電子と、正孔輸送層から注入された正孔とが再結合して発光する層であり、発光する部分は発光層の層内であっても発光層と隣接する層との界面であってもよい。
【０１４３】
このような発光層としては、含まれる発光材料が発光要件を満たしていれば、その構成には特に制限はない。また、同一の発光スペクトルや発光極大波長を有する層が複数層あってもよい。この場合、各発光層間には非発光性の中間層を有していることが好ましい。
【０１４４】
発光層の厚さの総和は、１〜１００ｎｍの範囲内にあることが好ましく、より低い駆動電圧を得ることができることから１〜３０ｎｍの範囲内がさらに好ましい。なお、発光層の厚さの総和とは、発光層間に非発光性の中間層が存在する場合には、当該中間層も含む厚さである。
【０１４５】
また発光層は、複数の発光材料を混合してもよく、リン光発光材料と蛍光発光材料（蛍光ドーパント、蛍光性化合物ともいう。）を同一発光層中に混合して用いてもよい。発光層の構成としては、ホスト化合物（発光ホスト等ともいう。）及び発光材料（発光ドーパント化合物ともいう。）を含有し、発光材料より発光させることが好ましい。
【０１４６】
（６：有機機能層群）
次いで、有機機能層ユニットを構成する各層について、電荷注入層、正孔輸送層、電子輸送層及び阻止層の順に説明する。
【０１４７】
〈６．１：電荷注入層〉
電荷注入層は、駆動電圧低下や発光輝度向上のために、電極と発光層の間に設けられる層のことで、「有機ＥＬ素子とその工業化最前線（１９９８年１１月３０日エヌ・ティー・エス社発行）」の第２編第２章「電極材料」（１２３〜１６６頁）にその詳細が記載されており、正孔注入層と電子注入層とがある。
【０１４８】
電荷注入層としては、一般には、正孔注入層であれば、陽極と発光層又は正孔輸送層との間、電子注入層であれば陰極と発光層又は電子輸送層との間に存在させることができるが、本発明においては、透明電極に隣接して電荷注入層を配置させることを特徴とする。また、中間電極で用いられる場合は、隣接する電子注入層及び正孔注入層の少なくとも一方が、本発明の要件を満たしていれば良い。
【０１４９】
正孔注入層は、駆動電圧低下や発光輝度向上のために、透明電極である陽極に隣接して配置される層であり、「有機ＥＬ素子とその工業化最前線（１９９８年１１月３０日エヌ・ティー・エス社発行）」の第２編第２章「電極材料」（１２３〜１６６頁）に詳細に記載されている。
【０１５０】
電子注入層は、駆動電圧低下や発光輝度向上のために、陰極と発光層との間に設けられる層のことであり、陰極が本発明に係る透明電極で構成されている場合には、当該透明電極に隣接して設けられ、「有機ＥＬ素子とその工業化最前線（１９９８年１１月３０日エヌ・ティー・エス社発行）」の第２編第２章「電極材料」（１２３〜１６６頁）に詳細に記載されている。
【０１５１】
〈６．２：正孔輸送層〉
正孔輸送層とは正孔を輸送する機能を有する正孔輸送材料からなり、広い意味で正孔注入層及び電子阻止層も正孔輸送層の機能を有する。正孔輸送層は単層又は複数層設けることができる。
【０１５２】
正孔輸送材料としては、正孔の注入又は輸送、電子の障壁性のいずれかを有するものであり、有機物、無機物のいずれであってもよい。
【０１５３】
正孔輸送材料としては、上記のものを使用することができるが、ポルフィリン化合物、芳香族第３級アミン化合物及びスチリルアミン化合物を用いることができ、特に芳香族第３級アミン化合物を用いることが好ましい。
【０１５４】
正孔輸送層の層厚については特に制限はないが、通常は５ｎｍ〜５μｍ程度、好ましくは５〜２００ｎｍの範囲である。この正孔輸送層は、上記材料の一種又は二種以上からなる一層構造であってもよい。
【０１５５】
〈６．３：電子輸送層〉
電子輸送層は、電子を輸送する機能を有する材料から構成され、広い意味で電子注入層、正孔阻止層も電子輸送層に含まれる。電子輸送層は、単層構造又は複数層の積層構造として設けることができる。
【０１５６】
〈６．４：阻止層〉
阻止層としては、正孔阻止層及び電子阻止層が挙げられ、上記説明した有機機能層ユニット３の各構成層の他に、必要に応じて設けられる層である。例えば、特開平１１−２０４２５８号公報、同１１−２０４３５９号公報、及び「有機ＥＬ素子とその工業化最前線（１９９８年１１月３０日エヌ・ティー・エス社発行）」の２３７頁等に記載されている正孔阻止（ホールブロック）層等を挙げることができる。
【０１５７】
（７：第２電極：陰極）
陰極は、有機機能層群や発光層に正孔を供給するために機能する電極膜であり、金属、合金、有機又は無機の導電性化合物若しくはこれらの混合物が用いられる。具体的には、金、アルミニウム、銀、マグネシウム、リチウム、マグネシウム／銅混合物、マグネシウム／銀混合物、マグネシウム／アルミニウム混合物、マグネシウム／インジウム混合物、インジウム、リチウム／アルミニウム混合物、希土類金属、ＩＴＯ、ＺｎＯ、ＴｉＯ２及びＳｎＯ２等の酸化物半導体などが挙げられる。
【０１５８】
陰極は、これらの導電性材料を蒸着やスパッタリング等の方法により薄膜を形成させて作製することができる。また、第２電極としてのシート抵抗は、数百Ω／□以下が好ましく、膜厚は通常５ｎｍ〜５μｍ、好ましくは５〜２００ｎｍの範囲で選ばれる。
【０１５９】
なお、有機ＥＬ素子が、陰極側からも発光光Ｌを取り出す、両面発光型の場合には、光透過性の良好な陰極を選択して構成すればよい。
【０１６０】
本発明に係る有機ＥＬ素子の各層は、例えば、真空蒸着法、スピンコート法、キャスト法、ＬＢ法（ラングミュア・ブロジェット、Ｌａｎｇｍｕｉｒ  Ｂｌｏｄｇｅｔｔ法）及びインクジェット法等の公知の方法により形成することができる。
【０１６１】
（８：封止部材）
有機ＥＬ素子を封止するのに用いられる封止手段としては、例えば、フレキシブル封止部材と、陰極及び透明基板とを封止用接着剤で接着する方法を挙げることができる。
【０１６２】
封止部材としては、有機ＥＬ素子の表示領域を覆うように配置されていればよく、凹板状でも、平板状でもよい。また透明性及び電気絶縁性は特に限定されない。
【０１６３】
また、前記図１で示すような構成においては、この封止部材（４）が、光治療用装置（Ｍ）を構成する基板（１００）となる。
【０１６４】
具体的には、フレキシブル性を備えた薄膜ガラス板、ポリマー板、フィルム、金属フィルム（金属箔）等が挙げられる。
【０１６５】
本発明においては、封止部材としては、有機ＥＬ素子を薄膜化することできる観点から、ポリマーフィルム及び金属フィルムを使用することができる。さらに、ポリマーフィルムは、ＪＩＳ  Ｋ  ７１２９−１９９２に準拠した方法で測定された温度２５±０．５℃、相対湿度９０±２％ＲＨにおける水蒸気透過度が、１×１０−３ｇ／ｍ２・２４ｈ以下であることが好ましく、さらには、ＪＩＳ  Ｋ  ７１２６−１９８７に準拠した方法で測定された酸素透過度が、１×１０−３ｍｌ／ｍ２・２４ｈ・ａｔｍ（１ａｔｍは、１．０１３２５×１０５Ｐａである）以下であって、温度２５±０．５℃、相対湿度９０±２％ＲＨにおける水蒸気透過度が、１×１０−３ｇ／ｍ２・２４ｈ以下であることが好ましい。
【０１６６】
また、有機ＥＬ素子における発光機能層ユニットを完全に覆い、かつ有機ＥＬ素子における第１電極である陽極（３）と、第２電極である陰極（６）の端子部分を露出させる状態で、透明基板上に接着剤を用いた封止膜を設けることもできる。
【０１６７】
接着剤として具体的には、アクリル酸系オリゴマー、メタクリル酸系オリゴマーの反応性ビニル基を有する光硬化および熱硬化型接着剤、２−シアノアクリル酸エステル等の湿気硬化型等の接着剤を挙げることができる。また、エポキシ系等の熱および化学硬化型（二液混合）を挙げることができる。また、ホットメルト型のポリアミド、ポリエステル、ポリオレフィンを挙げることができる。また、カチオン硬化タイプの紫外線硬化型エポキシ樹脂接着剤を挙げることができる。
【０１６８】
このような方法で形成する封止膜としては、本発明に係る伸縮性基材と近似の伸縮性を有するように、上記材料を適宜選択することが好ましい態様である。
【０１６９】
以上のような封止材は、有機ＥＬ素子における第１電極である陽極（３）と、第２電極である陰極（６）の端子部分を露出させると共に、少なくとも発光機能層を覆う状態で設けられている。
【０１７０】
〔有機ＥＬ素子への駆動電力の供給方法〕
本発明の光治療用装置を光治療に適用する場合には、発光光を患部に照射する電界発光素子である有機ＥＬ素子を駆動するため、電力供給手段を具備する。
【０１７１】
電力供給手段としては、方法１としては、光治療用装置の内部に薄型電池を内蔵する方式であり、方法２としては、有機ＥＬ素子に引き出し配線を装備し、外部に設けた電源より電力を供給する方法である。
【０１７２】
（方法１：薄型電極を内蔵した光治療用装置）
図１３は、本実施形態の光治療用装置内に、駆動用の薄膜電池を装着した一例（実施態様９）を示す概略断面図である。このような構成とすることにより、使用する場所の制限を受けることなく、本発明の光治療用装置による光治療を行うことができる。
【０１７３】
図１３の（ａ）で示す構成では、前記図１で示した構成に対し、基板（１００）と有機ＥＬ素子（ＯＬＥＤ）の間に、有機ＥＬ素子に電力を供給ための薄型電池（５０）を設ける構成を示しており、薄型電池（５０）と有機ＥＬ素子（ＯＬＥＤ）は、電気的に接合する部材（不図示）により接合されている。
【０１７４】
図１３の（ｂ）では、複数の有機ＥＬ素子（ＯＬＥＤ）と、薄型電池（５０）を並列配置し、その間を、伸縮構造を有し、導電性ポリマーを主成分として構成される導線（１０５）により接合されている構成を示す。
【０１７５】
次いで、本発明の光治療用装置に適用可能な薄型電池について説明する。
【０１７６】
本発明に適用可能な薄型電池としては、いかなる電池でも適用可能であり、一次電池であっても、二次電池であってもよく、例えば、アルカリ蓄電池、有機電解液電池、太陽電池等を挙げることができ、厚さとしては１．５ｍｍ以下であることが好ましい。
【０１７７】
本発明においては、その中でも、有機電解液電池、更には、リチウム電池が好ましく、特に、厚さが１．５ｍｍ以下のリチウムイオン電池が好ましい。すなわち、本発明においては、リチウムイオン電池を用いることが、１．５ｍｍ以下に薄膜化した形態であっても、有機ＥＬ素子の駆動に十分な電力を供給することが可能となる点で好ましい。
【０１７８】
リチウムイオン電池の詳細については、例えば、特開２００１−２６６９４６号公報、特開２００３−３１７６９５号公報、特開２００４−０８７４３２号公報、特開２００６−２７８１４１号公報、特開２００７−２５７８８５号公報、特開２００８−２５１３４２号公報、特開２０１０−０３３９３７号公報、特開２０１１−０２３３６１号公報、特開２０１２−０８４５４７号公報等に記載されている内容及び構成を参照することができる。
【０１７９】
図１４は、先の図１３の（ｂ）で示した平行配置した薄型電池の一例であるリチウムイオン二次電池と、有機ＥＬ素子との接合状態を示す概略断面図である。
【０１８０】
図１４の左側には、薄型電池が薄型のリチウムイオン二次電池である場合、リチウムイオン二次電池（５０）の構成を示してある。リチウムイオン電池（５０）は、正極集電体（５１）、正極活物質層（５２）、電解質層（５３）、セパレーター（５４）、電解質層（５３）、負極活物質層（５５）、負極集電体（５６）の各層が積層されて、周囲が封止材（５７）により封止されている構成である。正極集電体（５１）及び負極集電体（５６）には、取り出しタグ（５１ａ：電極端子）及び取り出しタグ（５６ａ：電極端子）が、封止材（５７）の外部に延びて形成されている。
【０１８１】
図１４に示すように、リチウムイオン二次電池（５０）と有機ＥＬ素子（ＯＬＥＤ）を接合する場合には、リチウムイオン二次電池（５０）側の正極端子（５１ａ）及び負極端子（５６ａ）と、有機ＥＬ素子（ＥＬ）側の陽極からの陽極端子（６ａ）及び陰極端子（１０ａ）と、電気的に接続する部材によりそれぞれ接続して、接続部（１０６）を構成している。
【０１８２】
電気的に接続する部材としては、導電性を備えた部材であれば特に制限はないが、異方性導電膜（ＡＣＦ）、導電性ペースト、又は金属ペーストであることが好ましい態様である。
【０１８３】
（方法２：外部電源より電力供給する方法）
図１５は、本実施形態の光治療用装置の外部に、有機ＥＬ素子を駆動するための電源を設けた一例（実施態様１０）を示す概略断面図である。
【０１８４】
図１５で示すように、例えば、図１で示す光治療用装置（Ｍ）を構成する有機ＥＬ素子（ＯＬＥＤ）の電極間に電圧を印加して発光させるため、外部に設置してある外部駆動電源（１０８、例えば、ＡＣ電源）より、電力供給用配線（１０７）を介して、電力を供給する方法をとることにより、高輝度で有機ＥＬ素子を発光させることができ、好ましい態様の一つである。
【０１８５】
《粘着層》
本発明の光治療用装置においては、患部に接する面側に、粘着層を有することが特徴の一つである
本発明に係る粘着層は、含有する粘着材料により、光治療用装置を光治療を行う患部の位置に密着させる機能を有している。
【０１８６】
（粘着材料）
本発明に係る粘着層の形成に用いる粘着材料としては、４００〜２０００ｎｍの波長域において、光透過率が５０％以上で、かつ患部である皮膚に対し、光治療用装置を構成する有機ＥＬ素子等を安定して固定することができる密着性を有し、かつ伸縮性基材の伸縮性に対応した伸縮特性を備えている材料であれば、特に制限はない。
【０１８７】
本発明に適用可能な粘着材料としては、湿布剤等の外用貼付剤等で広く用いられている粘着剤とその形成方法を適用することができ、その詳細は、例えば、特開２００１−０９７８５７号公報、特開２００１−３４８３２９号公報、特開２００２−０８７９５４号公報、特開２００２−１０４９５７号公報、特開２００４−１７４２０２号公報、特開２００４−２２４７０１号公報、特開２００５−２６３７５６号公報、特開２００７−１１２９９１号公報、特開２０１１−０６８６１０号公報、特開２０１１−２０９９７号公報、特開２０１２−９７１０８号公報、特開２０１２−１４０４６０号公報、特開２０１３−０９５７４９号公報等に記載されており、それらを参照することができる。
【０１８８】
例えば、粘着材料としては、ポリアクリル酸系粘着剤に代表される親水性アクリルポリマー系粘着剤、ポリビニルアセタール系粘着剤、ポリビニルアルコール系粘着剤、ポリビニルアルコール系粘着剤、酢酸ビニル系粘着剤、ゴム系粘着剤（例えば、天然ゴム、合成ゴム、スチレン−イソプレン−スチレンブロック共重合体、イソプレンゴム、ポリイソブチレン（ＰＩＢ）、スチレン−ブタジエン−スチレンブロック共重合体、スチレン−ブタジエンゴム、ポリブテン等）を挙げることができる。
【０１８９】
粘着材料により形成する粘着層の厚さは特に制限はないが、１００〜１０００μｍの範囲内で選択することが好ましい。
【０１９０】
（薬剤）
本発明に係る粘着層には、粘着材料と共に、光治療に有効な薬剤を添加することができる。本発明に適用可能な薬剤としては、光線力学的療法（ＰＤＴ）に適用する光化学療法剤の他に、薬効成分、美肌成分等を、治療の目的に応じて選択することができる。
【０１９１】
〈光線力学的療法（ＰＤＴ）の適用〉
本発明の光治療用装置を用いる光治療法においては、有機ＥＬ素子による光照射と共に、粘着層より光化学療法剤を供給する光線力学的療法（ＰＤＴ）を適用することが好ましい態様である。
【０１９２】
本発明に係るＰＤＴでは、治療されるべき体の領域に、光化学療法剤（ｐｈｏｔｏｐｈａｒｍａｃｅｕｔｉｃａｌ）として公知の感光性の療法用剤を、粘着層より付与し、同時に、その領域に、電界発光素子より適切な波長及び強度の光に放射して、光化学療法剤を活性化させる方法である。例えば、光化学療法剤として光増感性の物質を腫瘍細胞に取り込ませ、光を照射することにより、細胞を死滅させる腫瘍の治療方法である。より具体的には、腫瘍細胞又は腫瘍組織内の新生血管の内皮細胞内に、光増感性蛍光タンパク質等を導入し、適当な光を照射することにより、活性酸素を発生させる。この活性酸素により、腫瘍細胞又は腫瘍組織が傷害され、腫瘍が消失する方法である。
【０１９３】
上記光線力学的療法（ＰＤＴ）に適用される光化学療法剤（光増感性化合物ともいう。）としては、光活性化する光線の照射を受けて、細胞毒性の形態に変換されるか、細胞毒性種を生じさせる光増感性の物質を含有する製剤をいう。
【０１９４】
光化学療法剤としては、例えば、５−アミノレブリン酸塩酸塩（クロフォード・ファーマスーティカルズ（Ｃｒａｗｆｏｒｄ  Ｐｈａｒｍａｃｅｕｔｉｃａｌｓ））、メチルアミノレブリン酸（メトフィックス（登録商標）（Ｍｅｔｆｉｘ（登録商標））、フォトキュア（Ｐｈｏｔｏｃｕｒｅ））等の局所用剤がある。また、たとえばフォトフィン（登録商標）（Ｐｈｏｔｏｆｉｎ（登録商標））（アクスカン（Ａｘｃａｎ）から）およびフォスカン（登録商標）（Ｆｏｓｃａｎ（登録商標））（バイオリテック・リミテッド（Ｂｉｏｌｉｔｅｃｈ  Ｌｔｄ）から）など、内部の悪性疾患に対して主に用いられる注射用薬剤がある。薬剤は、不活性な形態で適用されることが多く、この薬剤は、感光性の光化学療法剤へと代謝される。
【０１９５】
〈その他の薬剤〉
本発明に適用可能な薬剤としては、その他には、特開２００４−１７４２０２号公報の段落（００２５）〜（００３３）に記載の薬効成分等、特開２００５−２６３７５６号公報の段落（００２９）や特開２００７−１１２９９１号公報の段落（００３３）に記載されている鎮痛消炎剤、抗真菌剤、抗尿失菌剤、筋弛緩剤、鎮けい剤、強心剤、禁煙補助剤、抗アレルギー剤、美白剤、抗しわ剤、保湿剤、皮膚刺激剤等、特開２０１２−９７１０８号公報の段落（００５３）〜（０１４２）に記載されている血行促進剤、抗炎症剤、角質柔軟剤、抗真菌剤、抗菌剤、鎮痛剤、静菌・殺菌・消毒剤、止血剤、抗凝血剤、局所麻酔剤、鎮痒剤、抗ヒスタミン剤、凝血剤、アミノ酸、ビタミン類、美白剤、真皮構造改善剤、抗生物質、化学療法剤、制癌剤、向精神剤、抗パーキンソン病剤、性ホルモン剤、抗発汗剤、サンスクリーン剤、抗アレルギー剤、抗不整脈剤、抗高血圧剤、血管拡張剤、血管補強剤、筋弛緩剤、制吐剤、乾癬治療剤、皮膚軟化剤又は皮膚緩和剤、プロスタグランジン類、脂溶性ビタミン類、酵素製剤、ペプチドホルモン類、糖尿病治療剤、多糖類、動植物抽出エキス類、菌体エキス類、抗しわ剤、皮脂抑制剤、角質剥離・溶解剤、制汗剤、清涼剤、収斂剤、局所刺激剤、抗男性ホルモン作用剤、毛賦活剤、抗脂漏剤、耐酸性増強・再石灰化剤、酵素、再石灰化促進剤、歯石沈着防止剤、歯磨剤、消炎剤、等が挙げられる。
【０１９６】
（光散乱粒子の添加）
本発明に係る粘着層には、有機ＥＬ素子からの発光光の効率を高める観点から、発光光が通過する粘着層に、光散乱粒子の添加することが好ましい。
【０１９７】
図１６は、粘着層中に、光散乱粒子（１０９）を存在させた構成の一例（実施態様１１）を示す概略断面図である。
【０１９８】
図１６に示す光治療用装置（Ｍ）において、構成する粘着層（１０２）中に、光散乱粒子（１０９）を存在させることにより、そこを通過する発光光（Ｌ）を拡散させ、光治療の領域を拡大させ、光治療効率を高めることができる。
【０１９９】
本発明に係る粘着層に適用可能な光散乱粒子としては、無機微粒子や有機微粒子を挙げることができ、無機微粒子としては、例えば、酸化ケイ素、炭酸カルシウム、炭酸マグネシウム、酸化カルシウム、酸化亜鉛、酸化マグネシウム、ケイ酸ソーダ、酸化アルミニウム、酸化鉄、酸化ジルコニウム、硫酸バリウム、酸化チタン、酸化錫、三酸化アンチモン、カーボンブラック、二硫化モリブデン及びこれらの混合粒子等を用いることができる。無機微粒子の無機材料としては、これらのうち、酸化ケイ素が特に好ましい。
【０２００】
また、有機微粒子としては、アクリル系樹脂、スチレン系樹脂、スチレン−アクリル系共重合、ジビニルベンゼン樹脂、アクリロニトリル樹脂、シリコーン樹脂、ウレタン樹脂、メラミン樹脂、スチレン−イソプレン系樹脂、フッ素樹脂、ベンゾグアナミン樹脂、フェノール樹脂、ナイロン樹脂等より構成される微粒子を挙げることができる。
【０２０１】
《導線》
本発明の光治療用装置においては、前述のとおり、複数の電界発光素子、例えば、有機ＥＬ素子（ＯＬＥＤ）を、それぞれ導線により接続されている形態であることが好ましく、更には前記導線が、導電性ポリマーを主成分として構成され、伸縮構造を有することが好ましい態様である。
【０２０２】
複数の電界発光素子を導線により接続方法としては、大きく分けて、下記に示す２つの方法が代表例として挙げることができる。
【０２０３】
（１）非伸縮性又は低伸縮性導電を用いた接続方法
第１の方法は、伸縮性基材の伸縮方向とは交差する直角方向に、非伸縮性又は低伸縮性導電を配置させる方法である。非伸縮性又は低伸縮性導電を用いる場合には、伸縮性基材の伸縮による導電の破断を防止する観点から、伸縮方向とは直角方向で、伸縮率の低い方向に配線することが好ましい。
【０２０４】
第１の方法で使用される導電としては電気伝導率の高い銅、銀、アルミニウム等の金属材料の他に、フレキシブルプリント回路（ＦＰＣと略記する。）、プリント配線等を挙げることができる。
【０２０５】
（２）伸縮構造を有する導電を用いた接続方法
第２の方法としては、前記図５及び図６で説明したように、複数の電界発光素子間を、伸縮構造を有し、導電性ポリマーを主成分として構成される導線により接続されている構成とすることが好ましい。
【０２０６】
本発明に係る導線を構成することができる導電性ポリマーとしては、特に、導電性を有し、通電が可能であり、かつ伸縮性を得ることができる材料であれば特に制限はないが、一例として、下記に示す材料を挙げることができる。
【０２０７】
導電性ポリマーとしては、例えば、ポリチオフェン系ポリマー、ポリアセチレン系ポリマー、ポリパラフェニレン系ポリマー、ポリアニリン系ポリマー、ポリパラフェニレンビニレン系ポリマー、ポリピロール系ポリマー、ポリフェニレン系ポリマー、アクリル系ポリマーで変性されたポリエステル系ポリマー等が挙げられる。
【０２０８】
更には、導電性ポリマーとしては、π共役高分子であることが更に好ましい。
本発明に係る導線の形成に適用可能なπ共役系導電性高分子としては、例えば、ポリチオフェン類、ポリピロール類、ポリインドール類、ポリカルバゾール類、ポリアニリン類、ポリアセチレン類、ポリフラン類、ポリパラフェニレンビニレン類、ポリアズレン類、ポリパラフェニレン類、ポリパラフェニレンサルファイド類、ポリイソチアナフテン類、ポリチアジル類等が挙げられる。なかでも、導電性、透明性、安定性等を高める観点から、ポリチオフェン類又はポリアニリン類が好ましく、ポリエチレンジオキシチオフェンがより好ましい。
導電性ポリマーとしては、例えば、ポリチオフェン、ポリピロール、ポリアニリン、ポリフェニレンビニレン、ポリフェニレン、ポリアセチレン、ポリキノキサリン、ポリオキサジアゾール、ポリベンゾチアジアゾール等や、これら導電骨格を複数有するポリマー等が挙げられる。
【０２０９】
これらのなかではポリチオフェン及びその誘導体が好ましく、ポリエチレンジオキシチオフェン、ポリチエノチオフェンが特に好ましい。これらのポリチオフェンは導電性を得るために、通常、部分酸化されている。導電性ポリマーの電気伝導率は部分酸化の程度（ドープ量）で調節することができ、ドープ量が多いほど電気伝導率が高くなる。部分酸化によりポリチオフェンはカチオン性となるので、電荷を中和するための対アニオンを要する。そのようなポリチオフェンの例としては、ポリスチレンスルホン酸を対イオンとするポリエチレンジオキシチオフェン（ＰＥＤＯＴ−ＰＳＳ）やｐ−トルエンスルホン酸を対アニオンとするポリエチレンジオキシチオフェン（ＰＥＤＯＴ−ＴｓＯ）が挙げられる。
導電性ポリマーとしては、例えば、ポリチオフェン、ポリピロール、ポリアニリン、ポリフェニレンビニレン、ポリフェニレン、ポリアセチレン、ポリキノキサリン、ポリオキサジアゾール、ポリベンゾチアジアゾール等や、これら導電骨格を複数有するポリマー等が挙げられる。
【０２１０】
上記記載の導電性ポリマーを用いて、例えば、図５に記載のらせん状導線（Ｓ）や、図６に記載の蛇腹状導線（Ｂ）を形成する。
【０２１１】
《電界発光素子を用いた光治療法の適用分野》
次いで、本発明の光治療用装置において、電界発光素子による、光治療法の概要について説明する。
【０２１２】
本発明でいう光治療法、あるいは光線療法とは、前述のとおり、特定の疾病に対し、光照射による治療、いわゆる光治療を行う方法であり、本発明の光治療用装置とは、伸縮性基材を有し、上記説明した電界発光素子、好ましくは有機ＥＬ素子を装備し、当該有機ＥＬ素子を、粘着層を介して、伸縮させながら患部である皮膚等に密着配置して、光治療に有効な光線を、患部に対し的確に照射する装置である。
【０２１３】
例えば、肩こりや腰痛などの疼痛緩和や薄毛治療には、赤色光や赤外線の照射による治療が行われている。この赤外線による治療は、例えば、患部に近赤外線光の照射を行うことにより、血管を拡張させることにより組織血流を増加させ、交感神経系の興奮を抑制したり、細胞組織を活性化して創傷治癒を促進したり、炎症性サイトカインや発痛物質に働きかけて抗炎症作用や鎮痛作用をもたらしたりする。特に、水、ヘモグロビン、メラニンに対する吸収が少ない波長８００〜９００ｎｍ近傍の近赤外線領域は生体透過度に優れ、温熱効果とは異なる作用機序によって炎症抑制や疼痛緩和されることができ、アトピー性皮膚炎の治療には青色や紫外線の照射による治療が行われている。
【０２１４】
このように、様々な疾患の治療に対し、光照射を用いる方法を光線療法といい、光照射と共に、光化学療法剤を併用する治療法を光線力学的療法（ＰＤＴ）という。
【０２１５】
本発明に係る光治療法は、任意の病気、症候群、疾患、症状、又は光治療に反応する様々な病気の治療や美容的症状に適用することができる。
【０２１６】
光治療法を適用することが可能な治療的疾患及び美容的症状としては、例えば、皮膚疾患、並びに、皮膚の老化及びセルライトを含む皮膚に関連する症状、肥大した毛穴、油性肌、毛嚢炎、前癌状態の日光性角化症、皮膚損傷、老化、皺の多い皮膚及び太陽で傷んだ皮膚、目じりの皺、皮膚潰瘍（糖尿病性、褥瘡、静脈うっ滞）、酒さ性座瘡、セルライト；脂腺及び周辺組織の光調整、皺とり、ニキビの痕及びニキビの細菌、炎症、痛み、外傷、精神的及び神経系に関連する疾患及び症状、面皰、浮腫、パジェット病、原発腫瘍及び転移性腫瘍、結合組織病、コラーゲン処置、線維芽細胞、及び哺乳類の組織における線維芽細胞由来の細胞レベル、網膜照射、腫瘍性疾患、新生血管疾患及び肥大性疾患、炎症反応及びアレルギー反応、汗、エクリン汗腺（汗腺）又はアポクリン腺からの汗かき及び過剰な発汗（ｈｙｐｅｒ−ｈｙｄｒｏｓｉｓ）、黄疸、白斑、眼球新生血管疾患、神経性大食症、疱疹、季節性情動障害、憂うつ、睡眠障害、皮膚癌、クリーグラー・ナジャー病、アトピー性皮膚炎、糖尿病性皮膚潰瘍、褥瘡、膀胱感染症、筋肉痛の軽減、痛み、関節のこわばり、細菌の低減、歯肉炎、歯のホワイトニング、歯及び口中の組織の治療、創傷治癒が含まれる。
【０２１７】
美容的症状としては、ニキビ、肌の若返り並びに皮膚の皺、セルライト、及び、白斑、乾癬（軽度、軽度から重度、及び、重度）から選択される。
【０２１８】
〔光治療法に適用する波長〕
本発明の光治療用装置においては、有機ＥＬ素子の発光波長が４００〜２０００ｎｍの波長域にあることが好ましい態様である。
【０２１９】
更に、有機ＥＬ素子の発光波長としては、好ましくは４００〜１０００ｎｍ、より好ましくは４００〜９５０ｎｍ、特に好ましくは４３０〜９５０ｎｍの範囲である。
【０２２０】
本発明の光治療用装置を用いた光治療法の主たる効果の一つは、皮膚面に対し様々な波長の光を照射することにより、例えば、コリや痛みを緩和することができることが知られている。すなわち、ミトコンドリアにおける代謝の刺激である。光治療法を施した後、細胞は代謝が増大して伝達がより向上し、よいストレス等に対する耐性が向上する。
【０２２１】
本発明に係る有機ＥＬ素子は、細胞刺激のために使用することができる。細胞刺激のための好ましい波長又は波長の範囲は６００〜９００ｎｍであり、より好ましくは６２０〜８８０ｎｍであり、特に好ましくは６５０〜８７０ｎｍである。細胞刺激のための特に好ましい波長の例は、６８３．７ｎｍ、６６７．５ｎｍ、７７２．３ｎｍ、７５０．７ｎｍ、８４６ｎｍ、及び８１２．５ｎｍである。
【０２２２】
また、スキンケア及び皮膚修復のために適用される波長又は波長の範囲としては４００〜８００ｎｍの範囲が好ましく、より好ましくは４５０〜７５０ｎｍの範囲であり、更に好ましくは５００〜７００ｎｍの範囲であり、特に好ましくは５８０〜６４０ｎｍの範囲である。
【０２２３】
また、ニキビの治療に用いられる有機ＥＬ素子としては、赤色光と青色光の組み合わせが特に好ましい。上記赤色光は、好ましくは５９０〜７５０ｎｍ、より好ましくは６００〜７２０ｎｍ、更に好ましくは６２０〜７００ｎｍの範囲内から選択される。ニキビの治療に好ましい２つの更なる波長は、６３３ｎｍ及び６６０ｎｍである。
【０２２４】
又、面皰の場合には、５００ｎｍの波長、又は５００〜７００ｎｍの範囲の波長を有する光を放射する有機ＥＬ素子を適用することが特に好ましい。
【０２２５】
また、セルライト（皮下脂肪）の治療又は予防のための波長は、４００〜１０００ｎｍの範囲であり、好ましくは４００〜９００ｎｍの範囲であり、より好ましくは４５０〜９００ｎｍであり、特に好ましくは５００〜８５０ｎｍである。
【０２２６】
また、皮膚の老化の治療や防止や、しわの形成を減少あるいは予防するための波長としては、４００〜９５０ｎｍの範囲である。この波長は、好ましくは５５０〜９００ｎｍの範囲であり、より好ましくは５５０〜８６０ｎｍの範囲である。
【０２２７】
また、皮膚の若返りに対して適用する有機ＥＬ素子は、７００〜１０００ｎｍの範囲、好ましくは７５０〜９００ｎｍの範囲、より好ましくは７５０〜８６０ｎｍの範囲、特に好ましくは８００〜８５０ｎｍの範囲の光を放出する有機ＥＬ素子である。
【０２２８】
また、皮膚の赤みの治療や予防のための波長は、４６０〜６６０ｎｍの範囲である。波長は、好ましくは５００〜６２０ｎｍの範囲であり、より好ましくは５４０〜５８０ｎｍの範囲である。この目的のための１つの特に好ましい波長は、５６０ｎｍである。
【０２２９】
また、皮膚炎の治療や予防のための波長は、４７０〜６７０ｎｍの範囲である。波長は、好ましくは４９０〜６５０ｎｍの範囲であり、より好ましくは５３０〜６１０ｎｍの範囲である。この目的のための２つの特に好ましい波長は、５５０ｎｍと５９０ｎｍである。
【０２３０】
また、アトピー性湿疹の治療や予防のための波長は、４７０〜６７０ｎｍの範囲である。波長は、好ましくは４９０〜６５０ｎｍの範囲であり、より好ましくは５３０〜６１０ｎｍの範囲である。
【０２３１】
また、浮腫の治療に使用される波長としては、好ましくは、７６０〜９４０ｎｍの範囲、より好ましくは７８０〜９２０ｎｍの範囲、更に好ましくは８００〜９００ｎｍの範囲、特に好ましくは８２０〜８８０ｎｍの範囲である。
【０２３２】
また、本発明の光治療用装置は、創傷を治療するための使用することができる。光線療法による創傷の治療に好ましい波長は、６００〜９５０ｎｍの範囲であり、より好ましくは６５０〜９００ｎｍの範囲であい、特に好ましい波長は、６６０、７２０、８８０ｎｍである。
【０２３３】
また、特表２００２−５１９１６号公報に記載されているように、１９１７ｎｍの赤外線を照射することにより、免疫システムに刺激を与えることにより、正常な細胞に害を及ぼすことなしに、細胞レベルでの治療を行うことができる。
【０２３４】
また、神経系及び精神的疾患、症状の治療及び予防のための波長は、３５０〜６００ｎｍの範囲である。波長は、好ましくは４００〜５５０ｎｍの範囲であり、より好ましくは４４０〜５００ｎｍの範囲である。この目的のための好ましい２つの波長は４６０ｎｍと４８０ｎｍである。
【０２３５】
〔光治療用装置のその他の機能〕
本発明の光治療用装置には、上記説明した有機ＥＬ素子と共に、必要に応じ様々な機能を付与させることができる。
【０２３６】
例えば、
１）過度の光照射を防止するための「やりすぎ防止タイマー」を設置し、有機ＥＬ素子の発熱あるいは過熱時に自動的に装置をオフにする機能を付与する方法、
２）ハイパワーの有機ＥＬ素子を用い、患部の温度が高くなる場合には、放熱構造、放熱板、放熱層等の放熱手段を併用する方法、
３）冷却機能を付与する。例えば、患部に密着させる面をメッシュ状、冷却層の付与、湿布層の設置する方法、あるいは光治療用装置そのものを、治療前に、冷蔵庫や冷凍庫で冷却した後、光治療を行う方法、
４）熱源と併用して、温熱治療効果を利用する方法、
５）患部に優しい光治療方法として、肌等に対し影響のある４００ｎｍ未満の紫外線を遮断するＵＶカットフィルターを併用する方法、
６）患部のムレ等を防止するため、患部に接する面側に、細かな穴を有するシートを、有機ＥＬ素子とやや間隔をあけて設置する方法。この際、形成した穴部に光照射効果を付与するためには、光取出しフィルムや内部散乱層を有する構成であることが好ましい、
７）光治療の完了を通知するため、設定時間になったら有機ＥＬ素子の発光色を変化させる調色機能を有していること、
８）放射光の色調を変えずに、光照射強度の切り替えができる機能を付与する方法、
９）水を使用する環境でも安全に使用することができる防水機能の付与、あるいは、この防水機能を利用して、入浴時に温熱と光治療を併用する方法、
１０）有機ＥＬ素子として、広い発光面積を有し、かつ発光均一性が高い機能を付与する方法（この機能に対しては、グリッド電極を適用することが有効）、
等を挙げることができる。
【産業上の利用可能性】
【０２３７】
本発明の光治療用装置は、治療時に高エネルギーの光線治療と、必要に応じ、光化学療法剤を併用する光線力学的療法を可能とし、かつ患部への密着性及び曲面対応性に優れた高輝度の有機ＥＬ素子を具備した光治療用装置であり、任意の病気、症候群、疾患、症状、又は有機ＥＬ治療に反応する様々な病気の治療や美容的症状に適用することができる。
【符号の説明】
【０２３８】
１  透明基材
２、２Ａ、２Ｂ、２Ｃ  有機機能層ユニット
３、３Ａ  封止用接着層
４  封止基板
６  第１電極（陽極）
６ａ  陽極端子
７、９  有機機能層群
８  発光層
１０  第２電極（陰極）
１０ａ  陰極端子
１１、１１−Ａ、１１−Ｂ、１１−Ｃ  リード線
１２、１３  発光層
１４  中間層
１５、１５Ａ、１５Ｂ  中間電極
５０  薄型電池（リチウムイオン二次電池）
５１  正極集電体
５１ａ  正極端子
５２  正極活物質層
５３  電解質層
５４  セパレーター
５５  負極活物質層
５６  負極集電体
５６ａ  負極端子
５７  封止材
１００  伸縮性基材
１０２  粘着層
１０５  導線
１０６  接続部
１０７  電力供給用配線
１０８  外部駆動電源
１０９  光散乱粒子
３０１  ＬＥＤ発光デバイス
３０２  ＬＥＤ光源
３０３  放射光
３０４  導光板
３０５  反射板
３０６  拡散板
ＡＰ  患部
Ｂ  蛇腹状の導線
ＥＩＬ、ＥＩＬ１、ＥＩＬ２  電子注入層
ＥＴＬ、ＥＴＬ１、ＥＴＬ２  電子輸送層
ＨＩＬ、ＨＩＬ１、ＨＩＬ２  正孔注入層
ＨＴＬ、ＨＴＬ１、ＨＴＬ２  正孔輸送層
Ｌ  発光光
ｈ  発光点
Ｍ  光治療用装置
ＯＬＥＤ、ＯＬＥＤ１、ＯＬＥＤ２  有機ＥＬ素子
Ｓ  らせん状の導線
Ｖ１、Ｖ２、Ｖ３  電圧
Ｕ、Ｕ１、Ｕ２、Ｕ３  発光ユニット
【図１】
2017006348.tif 000003
【図２】
2017006348.tif 000004
【図３】
2017006348.tif 000005
【図４】
2017006348.tif 000006
【図５】
2017006348.tif 000007
【図６】
2017006348.tif 000008
【図７】
2017006348.tif 000009
【図８】
2017006348.tif 000010
【図９】
2017006348.tif 000011
【図１０】
2017006348.tif 000012
【図１１】
2017006348.tif 000013
【図１２】
2017006348.tif 000014
【図１３】
2017006348.tif 000015
【図１４】
2017006348.tif 000016
【図１５】
2017006348.tif 000017
【図１６】
2017006348.tif 000018